(57)【要約】【課題】音声の低域(低周波)等に高度な音響効果を持つ臨場感のある音響再生装置では、CGを駆使した各種画像再生装置を使用しても、ストレス解消となるような効果は期待できず、高電位治療器で上記音響装置によるストレス解消の効果を同時に実現するものは存在しない、積極的にα波を「発生させる」機能を持った臨場感の高い再生装置を高圧電位治療器に組み合わせた治療器は存在しない、という課題を解決した治療器を提供する。【解決手段】音響または音声を出力して再生する平板音板を持つスピーカーを有して、使用者が体感する音圧で音響または音声を再生する音響再生手段と、ディスクから画像または動画を再生できる画像再生手段と、使用者が体感できる音源または音楽に、人間の脳波にα波を「発生させる信号」を変調して再生する手段と、を備えた高電位治療器であって、音響と画像とαモードとを組み合わせて「癒し」効果を持たせた。【選択図】  図１
2008237530.tif 000002
【特許請求の範囲】
【請求項１】
音響または音声を出力して再生する平板音板を持つスピーカーを有して、使用者が体感する音圧で音響または音声を再生する音響再生手段と、
ディスクから画像または動画を再生できる画像再生手段と、
使用者が体感できる音源または音楽に、人間の脳波にα波を「発生させる信号」を変調して再生する手段と、
を備えた高電位治療器であって、
音響と画像とαモードとを組み合わせて「癒し」効果を持たせたことを特徴とする治療器。
【請求項２】
請求項１に記載の治療器において、
前記治療器は、高圧電位装置と、この高圧電位装置に搭載されるディスク画像再生装置とを備え、
前記ディスク画像再生装置は、信号復元回路を備え、
前記信号復元回路は絶縁部材に取り囲まれて、この絶縁部材の表面には除電効果のある物質が表面にコーティングされる、ことを特徴とする治療器。
【請求項３】
請求項１に記載の治療器において、
前記高圧電位装置に搭載されるディスク画像再生装置の信号復元回路は、人間の脳波にα波を「発生」させる音声信号を記録した記録媒体から、α波「発生用」の音声信号を音源信号に変調を掛ける回路である、ことを特徴とする治療器。
【請求項４】
請求項１〜３いずれかに記載の治療器において、
地上波デジタル受信機及びまたは双方向性放送受信機を備える、ことを特徴とする治療器。
【発明の詳細な説明】
【技術分野】
【０００１】
本発明は、高圧電位治療器に係り、より詳細には、ＤＶＤまたはＣＤ再生装置による動画(画像)再生装置を備え、また、非常に高性能な音響再生装置を備え、さらに、α波を「発生させる」音声信号を使用し、より効果的な治療効果を持つことができる治療器に関する。
【背景技術】
【０００２】
従来の高電位治療器は、高電位を人体に与えるだけで、人体に対しての治療効果はあっても、精神的ストレスを解消するには十分な効果を持たなかった。また、近年、５.１ＣＨなどによる低周波などに高度な音響効果を持つ臨場感のある音響再生装置においても、同じく、ストレス解消や各種治療効果が可能な再生装置はなかった。
特に、α波を脳波に積極的に「誘起」するような音源を再生音に付加することはなく、また、高電位治療器にもαモードが付加されること無く、同じく、ストレス解消や各種治療効果には十分な効果が期待できなかった。
公知文献である特開2003-730号公報及び特開2004-012797号公報に開示されているように、従来例には上述のような技術は無く、また、特開2005-46382号公報などのマッサージ型チェアなどは開示されていたものの、構成要件、実施例においても、上述のような技術を持つ画像装置や音響装置の記載はない。
【０００３】
【特許文献１】特開２００３−７３０号公報
【特許文献２】特開２００４−０１２７９７号公報
【特許文献３】特開２００５−４６３８２号公報
【発明の開示】
【発明が解決しようとする課題】
【０００４】
従来の５.１ＣＨなどの低周波などに高度な音響効果を持つ臨場感のある音響再生装置においては、さらにＣＧを駆使した各種画像再生装置を使用しても、そこに、緊張感を高める作用はあっても、ストレス解消となるような効果は期待できなかった。
また、高電位治療器においては、上記音響装置によるストレス解消の効果を同時に実現するものは存在しなかった。
従来より、ストレス解消に効果の高い脳波のα波は、非常に注目されていたが、積極的にα波を「発生させる」機能を持った臨場感の高い再生装置と、高圧電位治療器とを組み合わせた治療器は存在しなかった。
【０００５】
さらに、前記の通り、地上波デジタル放送の受信再生装置やＤＶＤまたはＣＤからの再生装置と、電位治療器との組み合わせが存在しなかったため、高電位のリークによる画像、音声ノイズに対して、具体的な解決策の提示は無かった。
【課題を解決するための手段】
【０００６】
本願発明の治療器は、使用者が体感できる十分な低周波音圧を備えた音響装置で、またスピーカーを前記装置に有し、これによって音源を体感できる高電位治療器であって、前記高出力音源を再生する平板音板を持つスピーカーを持ち、小型軽量な装置として構成できることを特徴としている。
また、地上波デジタル放送受信やＤＶＤまたはＣＤなどのディスクからの動画を再生できる動画(画像)再生手段、及び、音声再生装置を備えた前記治療器であって、使用者が、臨場感の高い環境下に置かれ体感できる音源に「癒し」効果のあるα波を「発生させる」音声信号が変調されて〔又はそのまま〕再生でき、画像、及び、体感できる音楽と、αモードを発生できる高電位治療器と、を組み合わせた、高度な「癒し」効果を持つ治療器として構成でき、搭載されるDVD再生装置及びCD再生装置(ディスク画像再生装置)の信号復元回路は、α波を「発生させる」音声信号を記録した記録媒体から、音声信号を音源信号に変調を掛ける事を特徴とした回路を有する。
さらに、本願発明の高電位治療器では、地上波デジタル受信・再生機(手段)及び／または双方向性放送受信・再生機(手段)、を備える、
こうして、本願発明では、電位治療器に低周波音源と動画再生装置とを備えた治療器(装置)を実現することができる。
【発明の効果】
【０００７】
本願発明によれば、高電位治療器において、使用者が体感できる十分な音圧を備えた音響装置を有することを特徴とし、地上波デジタル放送・双方向性放送、ＤＶＤまたはＣＤからの動画を再生できる動画(画像)再生装置、および／または、前記音源を再生する平板音板を持つスピーカーを具備する前記治療器であって、使用者が、体感できる音源に「癒し」効果のあるα波を「発生させる」音声信号が変調されて〔又はそのまま〕再生でき、画像及び体感できる音楽と、αモードを発生できる高電位治療器とを組み合わせた「癒し」効果を持つ治療器を実現することができる。
また、搭載される、地上波デジタル放送・双方向性放送の受信・再生装置、ＤＶＤ再生装置及びＣＤ再生装置(ディスク画像再生装置)の信号復元回路は、α波を「発生させる」音声信号を記録した記録媒体から、当該音声信号を音源信号に変調を掛けることを特徴とした回路を有し、且つ「癒し」効果の高いαモードを発生する高電位治療器を共に備えた装置を実現することができる。
【発明を実施するための最良の形態】
【０００８】
本願発明によれば、全身用電位発生コネクターと局所所用電位発生コネクターとを備えた高電位治療器において、使用者が体感できる十分な音圧を備えた音響装置を、またはスピーカーを前記装置に有し、これによって音源を体感できること、前記高出力音源を再生する平板音板を持つスピーカーを持ち小型軽量な装置であること、を特徴としている。
【０００９】
そして、地上波デジタル放送・双方向性放送の受信・再生装置、ＤＶＤ再生装置及び／又はＣＤ再生装置からの動画を再生できる動画(画像)再生装置、及び音声再生装置を備えた前記治療器において、使用者が、臨場感の高い環境下に置かれて体感できる音源に「癒し」効果のあるα波を「発生させる」音声信号が変調されて、（又はそのまま）再生でき、画像と、体感できる音楽と、αモードを発生できる高電位治療器と、を組み合わせた、高度な「癒し」効果を持つ治療器とすることを特徴としている。
【００１０】
本発明の治療器は、搭載される、地上波デジタル放送・双方向性放送の受信・再生装置、ＤＶＤ再生装置及びＣＤ再生装置の信号復元回路は、α波を「発生させる」音声信号を記録した記録媒体から、音声信号を音源信号に変調を掛けることを特徴とした回路を有する装置であり、且つ、前記高圧電位装置に搭載される、地上波デジタル放送・双方向性放送の受信・再生装置、ＤＶＤ再生装置及びＣＤ再生装置の信号復元回路は、絶縁効果のある箱に囲まれて、高圧リークを防止することができ、また、この表面には除電効果のある物質が表面にコーティングされて、高圧静電気を除去できることを特徴とした装置である。
【００１１】
以下、本発明の実施の形態を図１〜３に基づいて説明する。
［実施例１］
本発明は、図１の装置の前面図に示すように、高電位発生装置を内蔵して、本体から出力コネクター1-1を通し、通電シートなどに高圧電位を供給することが可能な装置である。
また、本発明の装置は、第２の出力コネクター1-2から局部通電が可能な装置であって、図１の装置図に示されるように、右スピーカー1-3、左スピーカー1-4を有し、また、この２つのスピーカーを駆動する駆動アンプ1-5を有し、また、右スピーカー1-3と左スピーカー1-4は、薄型ながら、非常に音圧の強い特性を持つ並行板振動板を有し、超低音波の再生を実現して、臨場感の高い音場を実現する。
【００１２】
そして、本発明の装置は、地上波デジタル放送・双方向性放送の受信・再生装置1-11、ＤＶＤまたはＣＤ再生装置1-6からの信号を復元する信号復元回路1-7を内蔵し、動画を再生するＬＣＤ表示画面1-8をもち、放送受信再生装置1-11やＤＶＤ再生装置1-6の画像信号を再生することが出来る。
また同じく、αモードを出力コネクター1-1から内蔵するＣＰＵ基板1-9より発生させて電位に与える。又α波を「発生させる」音声信号は、信号復元回路1-7の音声変調回路1-10を加えることにより発生させ、音声信号を前記臨場感の高い音場で再生し、効果的な治療器を実現する。
【００１３】
［実施例２］
本発明の治療器では、図２に示すように、高電位発生装置の高圧トランス2-2および高圧基板2-3などに発生する高電圧の影響で、金属部分周辺には高圧リークが発生し、周辺のＣＰＵ基板1-9などの部品に甚大なる被害が発生する虞があり、また、絶縁材には高圧静電気が帯電して、周辺の回路に悪影響を与え、誤動作の原因となることがある。
本実施例においては、高圧リークの発生を絶縁部材2-1によって防ぎ、周辺部品の破壊を防止し、また本絶縁材に帯電した高圧静電気には、絶縁部材2-1の除電材が作用して、速やかに高圧静電気が排出し、回路の誤動作を防止することを実現する。
【００１４】
［実施例３］
本発明の治療器では、図１の装置前面図に示すように、装置に内蔵された、地上波デジタル放送・双方向性放送の受信再生装置1-11、ＤＶＤ再生装置1-6またはＣＤ再生装置1-6の信号復元回路1-7に、ＣＰＵ回路1-9上の記録装置3-4(図３)を信号源として発生された「癒し脳波成分」α波を「発生させる」音声信号が、信号復元回路1-7中で再生された音源に変調され、スピーカーからα波を「発生させる」音声信号が出力される構成である。
【００１５】
図３は、本発明による治療器(装置)の回路ブロック図であり、当該装置全体の回路のブロック形態を示すものである。
ここで、地上波デジタル放送・双方向性放送の受信・再生装置1-11、ＤＶＤまたはＣＤ再生装置1-6で得られた信号は、信号復元回路1-7で一般の信号とされ、本発明の画像信号3-1、音声信号分離回路によって、画像と音源が分離され、音声変調回路1-10によりＣＰＵ基板1-9の記録装置3-4から発生させた、α波を誘起する音源を、音声信号に変調させ、音声は駆動アンプ1-5によって体感できるようなパワーで、右スピーカー1-3、左スピーカー1-4を駆動する。
【００１６】
一方、画像信号は画像復元回路3-2によって画像信号が作られ、ＬＣＤ駆動回路3-3によってＬＣＤ表示画面1-8を表示することを可能にしている。また、ＣＰＵ基板1-9は高圧電位出力の信号を発生させ、またαモード波形を発生させて、高圧トランス2-2、高圧基板2-3を経由し、出力コネクター1-1（局所）から局所電子ペンへの電位治療、また、1-2出力コネクター1-2（全身）からは通電シートなどを通しての全身電位治療を可能としており、αモード出力を可能としている。
【図面の簡単な説明】
【００１７】
【図１】本発明による治療器(装置)の前面図であり、装置全体及び内蔵部品の形態及び外装部に装着される部材などを示す。
【図２】本発明による治療器(装置)の全体図であり、各部品の位置及び全体の形態を示す。
【図３】本発明による治療器(装置)の回路ブロック図であり、当該装置全体の回路のブロック形態を示すものである。
【符号の説明】
【００１８】
1-1    出力コネクター（全身用）
1-2    出力コネクター（局所用）
1-3    右スピーカー
1-4    左スピーカー
1-5    駆動アンプ〔音響〕
1-6    ＤＶＤまたはＣＤ再生回路
1-7    ＤＶＤまたはＣＤ信号復元回路
1-8    ＬＣＤ表示画面
1-9    ＣＰＵ基板
1-10  音声変調回路
1-11  地上波デジタル受信機及び／または双方向性放送受信・再生機
2-1    絶縁部材（除電コートまたは素材）
2-2    高圧トランス
2-3    高圧基板
3-1    音声・画像信号分離回路
3-4    記録回路
【図１】
2008237530.tif 000003
【図２】
2008237530.tif 000004
【図３】
2008237530.tif 000005